(57)【要約】【課題】  周囲から接眼レンズへ入る迷光を避ける為片側に壁面を持つ目当て部材を、眼鏡の着用の有無に関係なく、また、個人差による顔の大きさ、眼の位置などに合わせて適正な位置で使用できる目当て構造を課題とする。【解決手段】  観察者の状況に合わせて、目当て部材（１）を光軸方向に押し上げ押し下げを行い適正な位置の短い溝  を使用して、目当て部材（１）の光軸方向位置を固定できる。この時目当て部材（１）を折りたたまず、観察者の顔に目当て部材（１）の壁面を合わせる為に、目当て部材（１）を回転させ、密着させることが出来る。【選択図】図１
2007199335.tif 000002
【特許請求の範囲】
【請求項１】
接眼レンズ系を有する鏡体と、その光軸方向に移動可能な目当て構造をもつ鏡体であって、光軸方向の移動量を調整可能とすると同時に、回転方向の位置調整も可能とする目当て構造。
【請求項２】
請求項１に記載の目当て構造は、眼鏡を着けていない観察者が使用するとき、接眼レンズへの迷光の入射を防止する為の壁面を持つ目当てゴムを、観察者の使用状態に適正に位置することを可能とする回転方向の調整が可能な目当て構造。
【請求項３】
請求項１に記載の目当て構造は、眼鏡着用の観察者が使用するとき、目当てゴムを折りたたみ、目当て部をその光軸方向に移動する事が可能であり、状態に応じて移動量を選択できる目当て構造。  
【請求項４】
請求項１に記載の目当て構造は、請求項２に記載した接眼レンズへの迷光の入射を防止する為の壁面を持つ目当てゴムを使用するとき、その目当てゴムが観察者の顔に合わせた位置に回転する事ができる。目当てゴムの回転は、すべての人が使用可能な範囲で回転し、過剰な回転は制限される目当て構造。
【発明の詳細な説明】
【技術分野】
【０００１】
本発明は、光学機器接眼部に目当て環を備えた構造に関するものである。
【背景技術】
【０００２】
従来より、光学機器接眼部には目当て構造が設けられている。このような目当て環は、観測者が光学機器の最適の使用条件に対処するよう、接眼レンズと眼球との距離を調整できるような構造となっている。例えば、特許文献1及び特許文献２参照。
【０００３】
特許文献1の目当て構造によれば、目当て部材をスライド可能に係止すると共に移動方向にガイドする事が出来る。
【０００４】
特許文献２の目当て構造によれば、ツイストアップ操作により、目当て部材の調整位置を維持する事が出来る。
【０００５】
周囲から接眼レンズへ入る迷光を避ける為、片側に壁面を持ち、観察者の顔と接眼レンズ、目当て部材とが、ほぼ気密になるような目当てが採用されてきた。また、眼鏡使用者が使用できるように折りたたみが可能な目当て部材を使用するようになった。しかし観察者の個人差による顔の大きさ、眼の位置などにより、目当て部材が適正な位置に係止できないと接眼レンズへ入る迷光を避けることができなかった。（特許文献３参照）
【特許文献１】特許第３５１５６４７号
【特許文献２】実用新案登録第３０９０５１３号
【特許文献３】特開２００５−２２２０６０
【発明の開示】
【発明が解決しようとする課題】
【０００６】
周囲から接眼レンズへ入る迷光を避ける為片側に壁面を持つ目当て部材を、眼鏡の着用の有無に関係なく、また、個人差による顔の大きさ、眼の位置などに合わせて適正な位置で使用できる目当て構造を課題とする。
【課題を解決するための手段】
【０００７】
前述した目的を達成する為に、本発明の目当て構造は、見口枠に光軸方向に摺動する事が出来る為に溝と、片側に壁面を持つ目当て部材を回転させる為の回転方向の溝を持つ。
【０００８】
また前記目当て構造の回転方向の溝は、観察者の使用範囲（例えば双眼鏡の最大眼福・最小眼福）に合わせて、必要以上に回転しないよう制限される。
【０００９】
眼鏡を着用しない観察者が、最も良い観測位置に眼を合わせた場合、目当て部材と顔に隙間ができないように、目当て部材を光軸方向に移動し、目当て部材を顔に密着させることができる。
【００１０】
眼鏡を着用した観察者が、最も良い観測位置に眼を合わせた場合、片側に壁面を持つ目当て部材を折りたたみ、目当て部材を眼鏡に密着させることが出来る。
【発明の効果】
【００１１】
本発明の目当て構造によれば、周囲から接眼レンズへ入る迷光を避ける為片側に壁面を持つ目当て部材を、観察者の状況に合わせた位置に配置する事が可能になり、光学機器の使い勝手をいっそう高めることが出来るという効果が得られる。
【発明を実施するための最良の形態】
【００１２】
以下、本発明による実施形態を図面に基づいて詳細に説明する。図1は本発明に係る目当て構造を示す断面図。図２は本発明に係る構造を示す斜視図である。また、図３は眼鏡使用者が使用する場合、及び図４は眼鏡を使用しない観察者が使用する場合の、接眼ユニットに取り付けた状態を示す図である。
【００１３】
目当て構造は、見口枠Ａ（６）を接眼ユニット（９）に取り付けた状態（図３、図４）で構成される。図３は眼鏡着用の観察者が使用するときの目当て部材（１）を折りたたんだ状態であり、図４は眼鏡を着用しない観察者が使用する状態を示す。
【００１４】
見口枠Ａ（６）には外周に均等に配置された３箇所のカムビス取り付け穴（６−１）があり、このカムビス取り付け穴（６−１）にカムビス（７）がカム溝（４−２）を通して取り付けられる。見口枠Ｂ（４）には、見口枠Ａ（６）のカムビス取り付け穴（６−１）と同じ間隔で配置された３箇所のカム溝（４−２）を備えている。図５に示すように、このカム溝（４−２）は光軸方向に直線に伸びる溝（４−２−１）と、光軸方向の直線に対して斜め横方向に伸びる短い数本の溝（４−２−２）を備えている。見口枠Ａ（６）に取り付けられたカムビス（７）は、カム溝（４−２）を摺動する。見口枠Ｂ（４）を光軸方向に引き出した時、光軸方向に直線に伸びる溝（４−２−１）をカムビス（７）が摺動し見口枠Ｂ（４）を繰り出す。見口枠Ｂ（４）を押し下げた時、光軸方向に直線に伸びる溝（４−２−１）を摺動し見口枠Ｂ（４）が収納される。見口枠Ｂ（４）を光軸方向に引き出した時、見口枠Ｂ（４）を左方向に少し回転すると、カムビス（７）は、斜め横方向に伸びる短い溝（４−２−２）に摺動する。カムビス（７）は、斜め横方向に伸びる短い溝（４−２−２）の終端により摺動を制限される為、見口枠Ｂ（４）を押し下げる動きを制限する。斜め横方向に伸びる短い溝（４−２−２）を数本配置することにより、見口枠Ｂ（４）を押し下げる位置を任意に選択する事ができる。
【００１５】
見口枠Ａ（６）の外周にはオーリング溝（６−２）が配置されており、このオーリング溝（６−２）にオーリング（８）を取り付ける。オーリング（８）の外周と見口枠Ｂ（４）の内面が接することにより、見口枠Ｂ（４）を押し上げ、押し下げ、または回転方向の動きに対して適度の抵抗を与え、観察中や運搬時に動いてしまうことを排除する。
【００１６】
見口枠Ｂ（４）の外周に回転見口枠（２）が配置される。回転見口枠（２）には、制限ビス取り付け穴（２−１）が配置され、制限ビス取り付け穴（２−１）に取り付けた制限ビス（３）は、見口枠Ｂ（４）の制限溝（４−１）に摺動し、移動量を制限される。
【００１７】
回転見口枠（２）の外周の溝（２−２）には目当て部材（１）が取り付けられ、目当て部材（１）と回転見口枠（２）は一体化する。
【００１８】
見口枠Ａ（６）の先端には飾り環（５）が取り付けられる。飾り環（５）はゴムまたは軟質プラスチックのような柔軟な素材で出来ており、接眼レンズ部の保護及び接眼ユニットの構造物を隠す役目をしている。
【００１９】
観察者は実際の使用状態において、目当て部材（１）の外周を持って操作する事となる。目当て部材（１）と回転見口枠（２）は一体化しており、光軸方向に対しては、制限ビス（３）を介して見口枠Ｂ（４）と連動して動かすことが出来る。
【００２０】
観察者の状況に合わせて、目当て部材（１）を光軸方向に押し上げ押し下げを行い適正な位置の短い溝（４−２−２）を使用して、目当て部材（１）の光軸方向位置を固定できる。この時目当て部材（１）を折りたたまず、観察者の顔に目当て部材（１）の壁面を合わせる為に、目当て部材（１）を回転させ、密着させることが出来る。
【図面の簡単な説明】
【００２１】
【図１】本発明に係る目当て構造を示す断面図。
【図２】本発明に係る目当て構造を示す分解斜視図。
【図３】見口構造を接眼ユニットに取付け、光軸方向に押し下げ眼鏡使用者用に見口部遮光壁を折り曲げた時の断面図。
【図４】見口構造を接眼ユニットに取付け、光軸方向に押し上げた時の断面図。
【図５】見口枠Ｂ（４）の詳細図
【符号の説明】
【００２２】
１          目当て部材
２          回転見口枠
２−１      制限ビス取り付け穴
２−２      外周の溝
３          制限ビス
４          見口枠Ｂ
４−１      制限溝
４−２      カム溝
４−２−１  光軸方向に直線に伸びる溝
４−２−２  斜め横方向に伸びる短い溝
５          飾り環
６          見口枠Ａ
６−１      カムビス取り付け穴
６−２      オーリング溝
７          カムビス
８          オーリング
９          接眼レンズユニット
【図１】
2007199335.tif 000003
【図２】
2007199335.tif 000004
【図３】
2007199335.tif 000005
【図４】
2007199335.tif 000006
【図５】
2007199335.tif 000007